(57)【要約】【課題】腰や背中が凝ったり痛くなったりすることを防ぐ、調整式の背凭れ及びシートを提供する。【解決手段】調整式の背凭れ及びシートは、本体１０及び調整ブロック２０を備える。本体１０は、腰掛面１２及び背面１１を有する。腰掛面１２と背面１１とは表裏に関係にある。腰掛面１２には、人が座る。背面１１には、人の背中が寄りかからせて密着される。本体１０は、断面がＵ字状の湾曲体であり、両側面に接触面１４が設けられ、後端部１０１は、傾斜して隆起しているため、本体１０を平らに置いたときに、後端部１０１が前端部１０２より高くなる。背面１１には、調整ブロック２０を結合するための位置決め部材が設けられる。調整ブロック２０は、突出したブロック体であり、各人の身長に応じて調整ブロック２０を上下に移動させて位置決めする。調整ブロック２０には、人の背中を寄りかからせる。【選択図】図６
0003209985.tif 000002
【実用新案登録請求の範囲】
【請求項１】
本体及び調整ブロックを備えた調整式の背凭れ及びシートであって、
前記本体は、腰掛面及び背面を有し、前記腰掛面には、人が座り、前記背面には、人の背中が寄りかかり、
前記本体は、断面がＵ字状の湾曲体であり、両側面に接触面が設けられ、後端部は、傾斜して隆起し、前記本体を平らに置いたとき、前記後端部が前記前端部より高くなり、前記背面には、前記調整ブロックを結合するための位置決め部材が設けられ、前記調整ブロックは、突出したブロック体であり、各人の身長に応じて前記調整ブロックを上下に移動させて位置決めし、前記調整ブロックには、人の背中を寄りかからせることを特徴とする調整式の背凭れ及びシート。
【請求項２】
前記位置決め部材は、複数個の面ファスナーのフックであり、
前記調整ブロックは、前記複数個の面ファスナーのフックに対応した複数個の面ファスナーのループであることを特徴とする請求項１に記載の調整式の背凭れ及びシート。
【請求項３】
前記調整ブロックは三角状のブロック体であることを特徴とする請求項１に記載の調整式の背凭れ及びシート。
【請求項４】
前記本体には、帯体を挿通する複数個の穿孔が形成されていることを特徴とする請求項１に記載の調整式の背凭れ及びシート。
【請求項５】
前記腰掛面には、凹状エリアが設けられていることを特徴とする請求項１に記載の調整式の背凭れ及びシート。
【考案の詳細な説明】
【技術分野】
【０００１】
本考案は、調整式の背凭れ及びシートに関し、特に、各使用者の身長の違いに応じて背凭れを調整して背中の第２脊椎及び第３脊椎を支え、疲労を減らして座ったときの姿勢を安定させるとともに、シートとして使用して胡坐をかいても、身体が伸び（腰が伸び）て長時間使用しても疲れにくく、腰や背中が凝ったり痛くなったりせず、軽量で携行し易く、自動車のシートとして用いたり、一般の椅子の背凭れとして用いたりすることもできる、調整式の背凭れ及びシートに関する。
【背景技術】
【０００２】
本考案者は既に特許文献１を出願している。悪い姿勢で長時間座ると、脊椎がずれて脊髄神経が圧迫されることがあり、各主要器官と接続されて情報を伝達する脊髄神経が圧迫されると情報伝達が円滑に行われなくなり、器官の働きに悪影響を与えることがある。正しい姿勢で座ることの重要性を多くの者は知っているが、正しい姿勢で座ることができる者は多くなく、その主原因はシートにあった。この問題点に鑑み、従来市販されている平面シートは、２層の複合材料からなり、その本体の頂面は傾斜面に形成され、傾斜面の傾斜角度は３０〜６０度であり、頂内面には複数個のゲル顆粒が配列され、傾斜面が前傾しているため、使用者が傾斜面に座ると、上半身が僅かに前傾し、身体の重心を平衡に保つために、腰部、背中及び脊椎を常に真っ直ぐに伸ばさなければならないが、シートに長時間座る人は、腰を曲げたり猫背とならないように胸部及び背中を真っ直ぐに伸ばし、座ったときの姿勢を正しくし、脊椎が側彎症で曲がったり病変が発生したり、腰や背中が凝ったり痛くなったりすることを防いでいた。
【０００３】
しかし、従来市販されていたシートは、単純に床に座るという単一機能しかなく、背凭れとして使用することはできなかった。また、市販されている背凭れが結合されたシートには、使用者の身長及び体型が異なっていても、背凭れにシートが結合された装置が単一規格であるため、使用者に応じて調整することができないという欠点があった。そのため、室内の椅子のシートと使用することができても、自動車のシートとして使用することはできなかった。
【０００４】
従来の平面型シートは、長時間座ると腰や背中が凝ったり痛くなったりする上、正しい姿勢に矯正することができず、単純に床の上に座って使用するしかできず、従来市販されている背凭れが連結されたシートは規格が単一で、背凭れを調整することができず、規格が不適切である場合、使用する者の背中が痛くなることがあった。
【０００５】
そのため、上述したような従来技術の問題点を改善する調整式の背凭れ及びシートが求められていた。  
【先行技術文献】
【特許文献】
【０００６】
【特許文献１】台湾実用新案登録第０９８２２３２６０号公報
【考案の概要】
【考案が解決しようとする課題】
【０００７】
本考案の第１の目的は、シートとして使用して使用者が胡坐、座禅をかく場合、本体の後端部が傾斜して隆起し、身体の腰部、背中及び脊椎が自然と真っ直ぐに伸び、バランスを維持し、本体の腰掛面に長期間座り、座ったときの姿勢を矯正し、脊椎が側彎症で曲がったり病変が発生したり、腰や背中が凝ったり痛くなったりすることを防ぐ、調整式の背凭れ及びシートを提供することにある。
本考案の第２の目的は、背凭れとして使用する場合、身体の背中が本体の背面に接触され、調整ブロックの上下高さを調整し、調整ブロックが身体の第２脊椎及び第３脊椎を押圧するため、椅子に長時間座っても腰が曲がったり猫背とならないように胸部及び背中が真っ直ぐに伸び、固定式の背凭れであるため調整できなかった従来技術の欠点を改善することができる、調整式の背凭れ及びシートを提供することにある。
本考案の第３の目的は、背凭れとして使用する場合、Ｕ字状の湾曲体は、身体の背中を覆い、身体が本体の背面に密着されるため、長時間座っても疲れない、調整式の背凭れ及びシートを提供することにある。
本考案の第４の目的は、自動車の椅子に使用することもできるし、一般の椅子に使用することもできる、調整式の背凭れ及びシートを提供することにある。
本考案の第５の目的は、手で提げることができる上、背負うこともできる、調整式の背凭れ及びシートを提供することにある。
【課題を解決するための手段】
【０００８】
上記課題を解決するために、本考案の第１の形態によれば、本体及び調整ブロックを備えた調整式の背凭れ及びシートであって、前記本体は、腰掛面及び背面を有し、前記腰掛面と前記背面とは表裏に関係にあり、前記腰掛面には、人が座り、前記背面には、人の背中が寄りかからせて密着され、前記本体は、断面がＵ字状の湾曲体であり、両側面に接触面が設けられ、後端部は、傾斜して隆起しているため、前記本体を平らに置いたときに、前記後端部が前記前端部より高くなり、前記背面には、前記調整ブロックを結合するための位置決め部材が設けられ、前記調整ブロックは、突出したブロック体であり、各人の身長に応じて前記調整ブロックを上下に移動させて位置決めし、前記調整ブロックには、人の背中を寄りかからせることを特徴とする調整式の背凭れ及びシートが提供される。
【図面の簡単な説明】
【０００９】
【図１】図１は、本考案の一実施形態に係る調整式の背凭れ及びシートを示す背面図である。
【図２】図２は、本考案の一実施形態に係る調整式の背凭れ及びシートの調整ブロックを示す斜視図である。
【図３】図３は、本考案の一実施形態に係る調整式の背凭れ及びシートの調整ブロックを示す平面図である。
【図４】図４は、本考案の一実施形態に係る調整式の背凭れ及びシートをシートとして使用するときの状態を示す側面図である。
【図５】図５は、本考案の一実施形態に係る調整式の背凭れ及びシートをシートとして使用するときの状態を示す平面図である。
【図６】図６は、本考案の一実施形態に係る調整式の背凭れ及びシートを背凭れとして使用するときの状態を示す側面図である。
【図７】図７は、本考案の一実施形態に係る調整式の背凭れ及びシートを背凭れとして使用するときの状態を示す平面図である。
【考案を実施するための形態】
【００１０】
図１〜図３を参照する。図１〜図３に示すように、本考案の一実施形態に係る調整式の背凭れ及びシートは、少なくとも本体１０及び調整ブロック２０から構成されてなる。本体１０の体積は、調整ブロック２０の体積より大きい。調整ブロック２０は、本体１０の背面１１に位置決めされる。本体１０は、腰掛面１２及び背面１１を有する。腰掛面１２と背面１１とは表裏に関係にある。腰掛面１２は、人が座ることができる凹状エリア１２１を有する（図５及び図６を参照する）。背面１１には、人が背中を寄りかからせることができる。本体１０は、断面がＵ字状の湾曲体１３であり（図７を参照する）、両側面に接触面１４が設けられている。後端部１０１は、傾斜して隆起しているため、本体１０を平らに置いたときに、後端部１０１が前端部１０２より高くなり、本体１０の腰掛面１２にユーザが座ると、臀部が略後端部１０１の凹状エリア１２１上に位置する。本体１０には、帯体（図示せず）を挿通する複数個の穿孔１５が形成されている。帯体により本体１０を手で吊り下げたり、帯体で本体１０を一般の椅子又は自動車の椅子に縛って本体１０を固定したりしてもよい。背面１１には、調整ブロック２０を結合するための位置決め部材１６が設けられる。調整ブロック２０は、突出したブロック体、即ち三角状のブロック体であり、突出した部位が背中を向く。位置決め部材１６は、複数個の面ファスナーのフックであり、調整ブロック２０は、複数個の面ファスナーのフックに対応する複数個の面ファスナーのループ２０１であり、各人の身長に応じて調整ブロック２０を上下に移動させて高さを調整し、位置決めする。調整ブロック２０は、背中を寄りかからせることができる上、硬質材料からなる。
【００１１】
上述したような構造により、本考案に係る調整式の背凭れ及びシートを使用するときの方式には、主に以下の２種類ある。
【００１２】
第１の種類は、図４及び図５に示すように、腰掛面１２を上方へ向けるとともに背面１１を下方へ向けて本体１０を設置する。背面１１の接触面１４を平らに置き、本体１０の腰掛面１２に座ると、ユーザの臀部が本体１０の後端部１０１に位置し、足が本体１０の前端部１０２に位置して胡坐をかくか、足が本体１０の前端部１０２前方に位置するため、腰掛面１２が傾斜面に形成され（本体１０の後端部１０１が傾いて隆起する）、腰掛面１２が前傾状態になり、腰掛面１２の凹状エリア１２１（クッションを置いてもよい）に座ると、上半身が僅かに前傾し、重心のバランスをとるために、腰部、背中及び脊椎を常に真っ直ぐに伸ばしてバランスを保つ。そのため、本体１０の腰掛面１２に長時間座る者は、胸部、背中を真っ直ぐに伸ばして腰が曲がったり猫背とならず、座ったときの姿勢を矯正し、脊椎が側彎症で曲がったり病変が発生したり、腰や背中が凝ったり痛くなったりすることを防ぐ。
【００１３】
第２の種類は、図６及び図７に示すように、本体１０を立設させると、倒立の前端部１０２が椅子に接触され、背中が本体１０の背面１１に接触され、調整ブロック２０を上下に移動させて高さを調整すると座る者の身長に合わせることができる。調整ブロック２０が突出した箇所は、第２脊椎及び第３脊椎を押圧する。上述した第１の種類の長所と同様に、椅子に長時間座っても背中が本体１０の調整ブロック２０に接触されるため、胸部及び背中が自然と真っ直ぐに伸びて腰が曲がったり猫背になったりすることを防ぎ、座ったときの姿勢が正しく矯正され、脊椎が側彎症で曲がったり病変が発生したり、腰や背中が凝ったり痛くなったりすることを防ぐ。
【００１４】
背中が本体１０の背面１１に接触される際、本体１０の断面がＵ字状の湾曲体１３であるため、Ｕ字状の湾曲体１３が背中を覆い、本体１０の背面１１に体が触れても快適であり、背中が自然に真っ直ぐに伸びる上、疲労が減って座る姿勢が安定する。これ以外に、本考案の本体１０は、帯体を挿通する複数個の穿孔１５が形成される。帯体により本体１０を手で提げることができるため携帯して使用することが容易で、手で提げたり背負ったりするか、自動車の椅子に繋げて用いたりすることができる。そのため、本考案の調整式の背凭れ及びシートは、自動車のシートとして使用し、運転手又は乗客は、疲労が減って座る姿勢が安定する。
【００１５】
本考案の調整式の背凭れ及びシートは、以下（１）〜（５）の長所を有する。
（１）シートとして使用して使用者が胡坐、座禅をかく場合、本体１０の後端部１０１が傾斜して隆起し、身体の腰部、背中及び脊椎が自然と真っ直ぐに伸び、バランスを維持し、本体１０の腰掛面１２に長期間座り、座ったときの姿勢を矯正し、脊椎が側彎症で曲がったり病変が発生したり、腰や背中が凝ったり痛くなったりすることを防ぐ。
（２）背凭れとして使用する場合、身体の背中が本体１０の背面１１に接触され、調整ブロック２０を上下に移動させて高さを調整し、調整ブロック２０が身体の第２脊椎及び第３脊椎を押圧するため、椅子に長時間座っても腰が曲がったり猫背とならないように胸部及び背中が真っ直ぐに伸び、背凭れが固定式であるため調整できなかった従来技術の欠点を改善することができる。
（３）背凭れとして使用する場合、Ｕ字状の湾曲体１３は、身体の背中を覆い、身体が本体１０の背面１１に密着されるため、長時間座っても疲れない。
（４）自動車の椅子に使用することもできるし、一般の椅子に使用することもできる。
（５）手で提げて使用することができる上、背負って使用することもできる。
【００１６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１７】
１０  本体
１１  背面
１２  腰掛面
１３  Ｕ字状の湾曲体
１４  接触面
１５  穿孔
１６  位置決め部材
２０  調整ブロック
１０１  後端部
１０２  前端部
１２１  凹状エリア
２０１  面ファスナーのループ
【図１】
0003209985.tif 000003
【図２】
0003209985.tif 000004
【図３】
0003209985.tif 000005
【図４】
0003209985.tif 000006
【図５】
0003209985.tif 000007
【図６】
0003209985.tif 000008
【図７】
0003209985.tif 000009
【手続補正書】
【提出日】平成29年2月22日(2017.2.22)
【手続補正１】
【補正対象書類名】実用新案登録請求の範囲
【補正対象項目名】全文
【補正方法】変更
【補正の内容】
【実用新案登録請求の範囲】
【請求項１】
本体及び調整ブロックを備えた調整式の背凭れ及びシートであって、
前記本体は、腰掛面及び背面を有し、前記腰掛面には、人が座り、前記背面には、人の背中が寄りかかり、
前記本体は、断面がＵ字状の湾曲体であり、両側面に接触面が設けられ、後端部は、傾斜して隆起し、前記本体を平らに置いたとき、前記後端部が前端部より高くなり、前記背面には、前記調整ブロックを結合するための位置決め部材が設けられ、前記調整ブロックは、突出したブロック体であり、各人の身長に応じて前記調整ブロックを上下に移動させて位置決めし、前記調整ブロックには、人の背中を寄りかからせることを特徴とする調整式の背凭れ及びシート。
【請求項２】
前記位置決め部材は、複数個の面ファスナーのフックであり、
前記調整ブロックは、前記複数個の面ファスナーのフックに対応した複数個の面ファスナーのループであることを特徴とする請求項１に記載の調整式の背凭れ及びシート。
【請求項３】
前記調整ブロックは三角状のブロック体であることを特徴とする請求項１に記載の調整式の背凭れ及びシート。
【請求項４】
前記本体には、帯体を挿通する複数個の穿孔が形成されていることを特徴とする請求項１に記載の調整式の背凭れ及びシート。
【請求項５】
前記腰掛面には、凹状エリアが設けられていることを特徴とする請求項１に記載の調整式の背凭れ及びシート。